(57)【要約】【課題】  机天板から床面まで略７００ｍｍ以内に持ち手の長い手荷物を吊り下げる安価な吊下具を提供する。【解決手段】    机天板上面２０ａと床面との距離略７００ｍｍの間に手荷物を吊り下げる机専用吊下具であって、  金属の棒状を屈曲してコの字状に形成した机天板前面２０の当接部Ｊに当てる竿部１と、前記屈曲を介して前記天板上面２０ａ上面後方向に直線に延びる支持部２と、基点竿部Ｓから屈曲を介し前記天板上面２０ａの反対側に前記支持部２と同方向に前記支持部２より短く形成したフック支持部３と、前記フック支持部３の端にはフック保持管４を有し、前記フック保持管４に挿着するフック部Ｆと、前記フック保持管４内に挿着された前記フック部Ｆの自然可動を抑止する前記フック部Ｆを構成する棒状直径と同等か略同等以上の内径を持つ摩擦抵抗となるゴム管が接着され、人為的に上下可動及び略水平に回動自在の前記フック部Ｆと、が構成される。【選択図】図１
2018175821.tif 000002
【特許請求の範囲】
【請求項１】
机天板上面２０ａと床面との距離略７００ｍｍの間に手荷物を吊り下げる机専用吊下具であって、
金属の棒状を屈曲してコの字状に形成した机天板前面２０の当接部Ｊに当てる基点竿部Ｓと、前記屈曲を介して前記天板上面２０ａ後方向に直線に延びる支持部２と、基点竿部Ｓから屈曲を介し前記天板上面２０ａの反対側に前記支持部２と同方向に前記支持部２より短く形成したフック支持部３と、
前記フック支持部３の端にはフック保持管４を有し、前記フック保持管４に挿着するフック部Ｆと、前記フック保持管４内に挿着された前記フック部Ｆの自然可動を抑止する前記フック部Ｆを構成する棒状直径と同等か略同等以上の内径を持つ摩擦抵抗となるゴム管１２を接着して人為的に上下可動及び略水平に回動自在を可能とする前記フック部Ｆと、が構成されることを特徴とする机専用吊下具。
【請求項２】
前記机天板２０ａ上面に設置される前記支持部２の第１弾性体１０と、第２弾性体１１とを滑り止として形成し、吊下重量で前記弾性体１０及び前記弾性体１１が前記天板上面２０ａに変形密着することで摩擦抵抗を増し安定したことを特徴とする請求項１記載の机専用吊下具。
【請求項３】
フック背面ｔは直線棒状で形成され会議用長尺机天板３０の反対側に会議用長尺机天板保持部３１からの張り出し部Ｅの略２５ｍｍの空間に前記フック支持部３が机前面当接部Ｊを基点に前記天板３０の前面に対して角度略３０度で設置することで天板の張り出しの少ない机に設置可能としたことを特徴とする請求項１、又は請求項２記載の机専用吊下具。
【請求項４】
前記支持部２棒状重心Ｇ１と前記フック部５の最下部Ｇ２棒状の重心の距離Ｌは６０ｍｍ〜８０ｍｍで構成したことを特徴とする請求項１乃至請求項３記載の机専用吊下具。
【発明の詳細な説明】
【技術分野】
【０００１】  この発明は、家庭用以外で外出の際に主に使用する、一般机及び学習ルーム机、長尺会議机等に手荷物等を吊り下げるフックに関するものである。
【背景技術】
【０００２】  机やテーブルの天板に円盤型の取り付け台から、略Ｓ字形体の棒状に下降された吊り下げ具が提案されている、例えば、特許文献１〜特許文献３。しかしながら、構造が複雑であり、円盤型に形成された大きさなどを鑑みると、バッグからの出し入れ、さらにポケットからの出し入れと、移動時に簡単に持ち運びや操作ができないという欠点がある。特許文献２、特許文献３ではさらに構造が複雑で製作工程に於いて、経費が多大となる可能性がある。【０００３】  又、特許文献１ではフックの中ほどに回転自在を採用していないためフックが一方向であるため、バッグの持手の構造によっては掛けられたバッグの位置が固定され人が腰掛け時の膝に当たる等不便が残る。さらに、これら吊下具は机、テーブル、会議用長尺机等に手荷物を簡易的に使用するもので、こうした机等は天板上面から床面まで高さが平均７００ｍｍ程度に作られており、バッグは長いもので持ち手を含む全長が６００ｍｍ内外と見られる。それ以上の持ち手の長さを持つものはショルダーバッグとして使用されている。【０００４】  したがって、机天板上面設置部から吊下フック径上面までの距離（図１Ｌ参照）が略８０ｍｍ以内でなければ手持ち部を含めた全長約６００ｍｍ内外のバッグは机下に掛からないのが解る。フックに約６００ｍｍの長さを持つバッグを掛けた場合バッグが地面、あるいは床に着地することは机、会議用机用として吊下具の用を足さないという問題ある。【０００５】  又、特許文献１及び特許文献２等が提案している机に設置した場合のフックの位置や、フック後部のふくらみ（湾曲）、フック下部までの全長が規定されておらず、又通常これら机の両側は通路と接したり、壁であったりすることが多く、設置することで逆に邪魔化することになり、吊下具を掛ける高さなど広範な範囲での使用方法が提案され、使用者が使用場所に戸惑うこととなる。【０００６】
【先行技術文献】
【特許文献】
【０００７】
【特許文献１】特開２０１５−１４２６８４号公報
【特許文献２】特表２０１３−５２５０４３号公報
【特許文献３】特開２００５−７３８３１号公報
【発明の概要】
【発明が解決しようとする課題】
【０００８】  しかしながら、上記従来の吊下具においては、特許文献１乃至特許文献３を見て、構造が複雑で金型等の制作費が多大で販売に際しても高校生が簡単に購入できる単価にするのは難しいと思われ、制作費が小額で販売価格が安価にしなければならない課題がある。外出先での会議用机では天板の反対側に手荷物を置く箇所が設けられているが、他の机などではほとんど見ることができない。特に高校生（学生）等が課外に図書館での学習ルーム等で手荷物、鞄類を床に直接置く、又は学習机上に大量に置くなどと非常に不便であることが解る。また、街角のテラスにおいてのコーヒーテーブル等でも同様な課題がある。【０００９】  本発明は、上記の問題点に鑑みて、手荷物を置く、又は引っ掛ける箇所も無い机等に簡単に吊り下げることができる携帯に便利で、安価な机専用吊下具を提供することを目的とする。
【課題を解決するための手段】
【００１０】  本発明は、机天板２０ａと床面との距離Ｈ略７００ｍｍの間に手荷物を吊り下げる机専用吊下具であって、金属の棒状を屈曲してコの字状に形成した基点竿部Ｓを机天板２０最前面に当てる当接部Ｊとし、該Ｓ屈曲を介して上方の支持部２を有し、一方基点竿部Ｓから屈曲を介し、下方のフック支持部３は机天板２０ａの反対側（裏側）に支持部２と同方向に支持部２より短く形成し、フック支持部３の端にはフック保持管４を有し、フック保持管４に挿着する形でフック部Ｆが構成されている。【００１１】  机天板２０ａに設置する該支持部２の前端１０と、後端１１に滑り止め効果のある弾性体を形成し、吊下重量によって該弾性体が天板２０ａに押し付けられる形で変形密着するため密着面積が大きくなることで摩擦抵抗を増し、机専用吊下具が安定することとなる。【００１２】  フック保持管４内径には、挿着されたフック部Ｆが自然可動を抑止するフック部Ｆを形成する棒状直径ｔと同等か略同等以上の内径を持つゴム管１２が接着され、フック背面ｔは直線で形成される。会議用机天板３０の脚部構成部３１からの張り出しＥが略２５ｍｍであって、当接部Ｊを中心点に角度略３０度乃至角９０度内に支持具２を設置することで天板張り出しが少ない机での使用が可能となり、フック部３及びフック保持管の長さを調整し、又フックＦは人為的に上下可動、及び略水平に回動自在することができる特徴を持つ。
【発明の効果】
【００１３】  使用方法、構造が簡単で、安価な吊下具が求められている。ホームセンター、及び１００円ショップ等の店舗で、安価で多彩なＳ型フック等が販売されている。本発明は、材料としての部品が少なく、類似した他製品と部品の共通化等で、Ｓ型フック等それらに匹敵する安価となる効果を持つ価格で製品化が可能となる。【００１４】  従来の吊下具は、バッグハンガー等と共に手荷物を引っ掛け、あるいは掛けるとした行動のみに費やされ、特に机等の天板から地面、又は床面までの高さ略７００ｍｍを考慮しないため、その規定内での吊り下げ効果が疑問視されていると思われる、したがって本発明は持ち手を含めた手荷物長が６００ｍｍ内外と考え、それ以上はショルダーバッグとして扱い、机天板から床面までの間隔を活用した効果が現れる机専用吊下具を提供することとなる。
【図面の簡単な説明】
【００１５】
【図１】側面視による吊下具の概略平面図と、机天板の断面部分図である。
【図２】手荷物の吊り下げた使用状態を模した斜視図である。
【図３】弾性体１０、１０ａ、１０ｂ、１１、１１ａ、１１ｂの断面図及び使用状態を示した該略図である。
【図４】フック、及びフック保持管と、それに構成する摩擦係数を増す弾性体１２との該略図である。
【図５】会議用机に取り付けると仮定して、該机天板３０と該天板保持部３１を略囲う形でのＳの長さが吊り下げに係る延長例の参考図である。
【図６】フック部３、及びフック支持部４が会議用机の張り出し部Ｅ内に収め使用可能とする説明の参考図である。
【図７】吊下具に掛かる重量物を保持する場合の連結状態にして使用する形態を示す概略正面図である。
【発明を実施するための形態】
【実施例１】
【００１６】  以下、添付図面に基づいて、この発明の実施形態に係る机専用吊下具について詳細に説明をする。【００１７】  図１、図２に示すように、本発明は、学習机、会議用長尺机、並びに図書館等の学習ルーム等机の天板に設置され、それら机天板上面から下方へ、床面までの間（約７００ｍｍ）に手荷物を吊り下げるとする机専用吊下具である。【００１８】  図１は、実施形態に係る机天板に設置される側面視による平面図Ａである。基点竿部Ｓ、支持部２、竿部３は棒状の金属にて略コの字状に屈曲して形成され、竿部３の端にフックＦを貫通保持する金属製のフック保持管４が溶接されている。基点竿部Ｓと支持部２は９０度に屈曲して、一方基点竿部Ｓと竿部３の屈曲角度は９０度よりやや大きく、竿部３の屈曲部は略コの字状内側角頂点とフック部Ｆのナット６の頭部頂点の結ぶ線（側面視平面図から見て）は支持部２と、平行に形成される。フックＦは金属性でフック保持管４を貫通した頂点に落下防止のナット６を設け、直線の棒状ｔ下部から鋭角に略円形を描きながら屈曲され手荷物吊り下げ竿部５を形成している。【００１９】  机専用吊下具Ａの実施の形態では、例えば図１に示すように、直径３，２ｍｍ〜４ｍｍの鉄製棒状をコの字状に屈曲された基点竿部Ｓの全長４０ｍｍ〜６０ｍｍ、屈曲部を介して支持部２の長さは略６０ｍｍ〜１２０ｍｍとし、支持部２に形成する弾性体１０は直径６ｍｍ〜１０ｍｍ長さは１０ｍｍ〜２０ｍｍ、弾性体１１は直径６ｍｍ〜１０ｍｍ、長さは１５ｍｍ〜２０ｍｍで構成されている。フック部について竿部３とフック保持部４を含めた長さは略４０ｍｍ〜６０ｍｍで、フックＦに係る重心は支持部２の先端より１０ｍｍ〜３０ｍｍの位置Ｇ１を定めている。上記した弾性体は掛かる手荷物重量が基点竿部Ｓに係る支持部２の重心Ｇ１が前方に移動するのを防ぐためである。又フック部Ｆの重心Ｇ２は回転により円を描くように移動する。したがって竿部５の先端７は必ず基点竿部Ｓ直径の内側になるよう設定されている。【００２０】  図３に示す保持部２に形成する第１の弾性体１０と机上面版２０中央後ろ方向に伸びる支持部２の長手方向の端位置に第２の弾性体１１を有し、弾性体１０、弾性体１１は机専用吊下具Ａを安定させる滑り止め効果を持ち、又机等表面を保護する効果がある。【００２１】  弾性体１０、及び１１には手荷物を吊り下げているときの安定性を強く保持するため、該弾性体１０、１１に、シリコン製の滑り止めシート１０ａ、１１ａを巻き加工をする。この吊下具が落下するときは竿部２の前方に張力が掛かる稀なケースであるが、滑り止めシート１０ａ、１１ａの摩擦の作用で落下が抑制される。したがって弾性体１０、弾性体１１はゴム管とシリコン製シートの２種２層で形成されている（滑り止めとして使用可能なシート材料は、シリコン、ポリウレタン、塩化ビニルの樹脂などが公知になっている）。円と線の接点は面積の無い点となるが、円柱で構成されている柔軟性のある弾性体１０，１１は重量により押しつぶされ、天板２０ａ上で弾性体１０，１１は設置面積が拡大して摩擦係数が増大することで安定した机専用吊下具Ａの使用となる。【００２２】  図４は、竿部３に溶接されたフック保持管４に係るフックＦ���構成はフック保持管４の内径と略同等の外径を持つゴム管１２を挿入時に接着剤で溶着し、該ゴム管１２内径より略大き目の外径を持つフックＦを挿入して、フックＦ最上部を落下抑止のナット６で固定し、フックＦはゴム管１２の摩擦抵抗によって自然に回転等することを規制し、人為的にフック方向を略水平回転自在に回動せしめることができ、自由に動くフックを制御すことができ任意の位置で使用可能となる。よってバッグ等の持ち手部を簡単に掛け、外すことができることになる。【００２３】  該フックＦは、フック保持管４に係るゴム管１２の可動時の摩擦抵抗は人為的に回転及び上下自在に可動可能であるため使用後フックＦ最下部５ａをコの字状に形成された吊下具枠内（上方）に押入れられコンパクトにバッグ等に収めることができる。先行技術文献に示されている吊下具は、机等に設置した後にバッグ等を掛ける様相を伺えるが、本発明は、手に持った吊下具をフック部Ｆにバッグ等の持ち手を掛けてから基点竿部Ｓを天板前面２０に当てて、天板前面２０を挟むように差し込む（図１、図２参照）形になる。【００２４】  実施例では、本体鉄製棒状３，２ｍｍ、支持部２長は１１０ｍｍ、基点竿部Ｓ長４０ｍｍ、フック保持部３長３０ｍｍ、クック保持管内径６ｍｍ、ゴム管外形５ｍｍ、フック保持部３、フック保持管４の合計長３５ｍｍで構成されている。又支持部２についての弾性体の位置について、弾性体１１は支持部２の後端に構成されるが、弾性体１０については机の形状等の調査後一部に天板周囲の形状が直角でなく、円形状に形成されている物もあり、弾性体１０は支持部２の先端より略５ｍｍ後退した箇所で対処している。
【実施例２】
【００２５】  図５は、折畳み形式の長尺会議用机の天板３０、脚部構成部で天板保持部３１の部分断面図で、着席において前面の一部図である。通常の机は該保持部３１が構成されてなく吊下具はスムースに設置することができる。図５に示すように竿部３、及びフック保持管４は天板３０の張り出し部Ｅ（略２５ｍｍ）に収まらないことが示されている。例えば基点竿部Ｓ´が天板３０、天板支持部３１を越した長さに延長すれば解決するが、延長された長さ分机下Ｈ７００ｍｍに手荷物が収まらない問題が発生する。【００２６】  図６は、図５に係る会議用机を天板３０上面に吊下具を角度を持って設置した状態を示した図である。天板張り出し部Ｅに収めるためには、天板３０に傾斜した状態で設置する訳であるが、支持具２の弾性体１０の重心が天板３０から外れない最小の使用角度略３０度Ｄを表したものである。図６に示す方法を達成するために、フック部Ｆ竿部３とフック保持管４の合計した長さを最小にすること、及びｔを直線にしたことで通常フックの湾曲が無く、天板３０の張り出しＥであっても使用可能となる。【００２７】  図５に関して、Ｓ´はＳの長さを変えて図示している。例えば、手荷物長６００ｍｍを超える物を解決するには、Ｓ´に第２のフック４０を４１に支点で構成するとさらに略５０ｍｍ延長した吊下可能範囲が広がる。しかしながら、単にフック４０を使用すると吊下具自体の重心が移動し落下するので、試験によれば第一のフックＦに手荷物を掛けた後に第２のフック４０に掛かる重量はフックＦに掛かる重量の略２倍を持つことが可能となる。つまり、段落［００２４］実施例での試験ではフックＦに略１ｋｇを掛けた場合フック４は略２ｋｇを支え持つことができる。【００２８】  さらに、機能を追加することが製作費について可能であれば、図示はしていないが基点竿部Ｓを上下に２０ｍｍ〜３０ｍｍを可動する延長自在金具部品に変更して、及び竿部３も前後に１０ｍｍ〜２０ｍｍの延長自在に可動するよう変更すれば、吊り下げ使用範囲が拡大する。つまり、基点竿部Ｓについては、図５、図６に関する課題が解決する場合もある。又変更した竿部３については、フック部Ｆの重心が後方に移動することで５図基点竿部Ｓ´のフック４０に掛かる範囲の重量も拡大し、吊下具の使用範囲をさらに広がるものとなる。
【実施形態３】
【００２９】  図７は、吊下具の連結使用状態を示した図である。類似した他製品を鑑みると、棒状を形成した材料は鉄製、樹脂、又はプラスチック等が見受けられる。本発明の吊り下げ重量は鉄製棒状４ｍｍで略５ｋｇの保持が可能であるが、手荷物を常に１０ｋｇを持つことは日常的でないが、製作材料が鉄製以外の樹脂、プラスチックである時等に連結使用が必要になる場合もある。先行技術特許文献に見られる吊下具構成では天板設置面積が広く、複雑であるため連結使用、又、図５、図６に示す使用方法も難しいものと考えられる。
【００３０】  本発明は、高校生、特に女子校生の持ち物の数が多く、図書館等の学習ルームでの手荷物の置き場所に苦労して居るのを考察して構成したものである。したがって、簡素で安価な、又携帯に違和感無く使用できる机専用吊下具を提供するものである。
【符号の説明】
【００３１】  Ａ      机専用吊下具本体
Ｄ      天板対支持部の角度
Ｅ      会議用長尺机張り出し部
Ｆ      フック部
Ｊ      机前面当接部
Ｌ      支持部２重心ｇ１と、フックｆフック部重心Ｇ２の距離
Ｓ      基点竿部
Ｓ´    基点竿部変化例
ｔ      フック部直線棒
Ｇ１    支持部重心
Ｇ２    フック部重心
Ｈ      机天板〜床面までの距離
Ｋ      手荷物
２      支持部
３      フック保持部
４      フック保持管
５      フック竿部
６      フックナット
７      フック先端
１０      第１弾性体
１０ａ    滑り止め樹脂
１０ｂ    滑り止めゴム管
１１      第２弾性体
１１ａ    滑り止め樹脂
１１ｂ    滑り止めゴム管
１２      フック摩擦ゴム管
２０      天板前面
２０ａ    天板上面
３０      会議用長尺机天板
３１      会議用長尺机天板保持部
４０      第２フック
４１      第２フック支点
【図１】
2018175821.tif 000003
【図２】
2018175821.tif 000004
【図３】
2018175821.tif 000005
【図４】
2018175821.tif 000006
【図５】
2018175821.tif 000007
【図６】
2018175821.tif 000008
【図７】
2018175821.tif 000009